(57)【要約】【課題】  ３ページもの以上の譜面であっても、移動時には、各譜面をしっかり収納し、さらに譜面使用時には、少なくとも３ページが見開きでき、書き込みができる構成とし、さらに捲れ防止を施した譜面用ファイルを提供することを目的とする。【解決手段】  少なくとも第一表紙と第二表紙が中央の連接部を介して連続する表紙部と、１枚又は複数枚の譜面保持台紙が、表紙部の連接部で綴じられた譜面保持台紙綴部によって一体に構成された譜面用ファイルであって、譜面保持台紙の両側部に譜面の端部を差し込んで保持する、開口部が譜面用ファイルの内側に向かって開かれた袋状ポケット部を設けてなる譜面用ファイル。【選択図】図１
2015147401.tif 000002
【特許請求の範囲】
【請求項１】
少なくとも第一表紙と第二表紙が中央の連接部を介して連続する表紙部と、
１枚又は複数枚の譜面保持台紙が、前記表紙部の前記連接部で綴じられた譜面保持台紙綴部によって一体に構成された譜面用ファイルであって、
前記譜面保持台紙の両側部に譜面の端部を差し込んで保持する、開口部が前記譜面用ファイルの内側に向かって開かれた袋状ポケット部を設けてなることを特徴とする譜面用ファイル。
【請求項２】
さらに前記表紙部の第一表紙と第二表紙の下部に、譜面ファイルを開いた際、前記譜面保持台紙の捲れ防止用の舌片を上部に向けて設けてなることを特徴とする前記請求項１記載の譜面用ファイル。
【請求項３】
前記譜面用ファイルにおいて、前記表紙部を形成する第一表紙又は第二表紙の少なくとも一方側端部に第三表紙を設けるとともに、この第三表紙の内側端部側に譜面端部の捲れ防止用の舌片を設けたことを特徴とする前記請求項１乃至２記載の譜面用ファイル。
【請求項４】
前記譜面用ファイルにおいて、前記表紙部を形成する第一表紙又は第二表紙の少なくとも一方側端部に第三表紙を設けるとともに、この第三表紙の内側下部に、譜面ファイルを開いた際、前記譜面の捲れ防止用の舌片を上部に向けて設けてなることを特徴とする前記請求項１乃至２記載の譜面用ファイル。
【請求項５】
前記第三表紙の内側端部側に書き込みペン保持部を設けたことを特徴とする前記請求項３乃至４記載の譜面用ファイル。
【発明の詳細な説明】
【技術分野】
【０００１】  本発明は、指揮者、楽器奏者、歌手などが連続する譜面、特に３ページ以上が連続する譜面の見開きが容易にでき、しかも練習中も書き込みを容易にした楽譜用ファイルに関する。
【背景技術】
【０００２】  音楽用の譜面ファイルは、通常は冊子状のものもあれば、１ページ状のものが複数枚で供給されたり、２ページが折り目を介して連接したものが複数枚で供給されたものが知られている。
また譜面では、３ページ、４ページが連接するものも多数存在している。【０００３】  このように譜面は、１ページものから複数ページのもの、各種存在しているが、これら譜面を透明なポケット状の袋に入れてしまうと、捲れ防止効果はあるものの照明による反射で譜面自体が見えにくくなったり、練習中に各種の書き込みができなくなるなど、その都度袋から譜面を出して、使用したり、書き込むようにしているので、非常に不便である（特許文献１参照）。【０００４】  そこで、全面ポケットを設けず、２ページを超える譜面に対して、４ページが一覧できるファイルが提案された。この提案は、ファイルのリングに綴じる譜面ホルダー用シートが提供されている。この譜面ホルダー用シートは、破れにくくて細長い透明のシートａの片側にファイルのリングに合う穴を開け、反対側の適当な位置数箇所には再剥離可能な粘着剤ｃを付け、２ページものの譜面の側辺を接着して、２ページものの譜面を４ページものの譜面として一覧できるようにしたものである（特許文献２参照）。
【先行技術文献】
【特許文献】
【０００５】
【特許文献１】  実用新案登録第３１５３０４３号公報
【特許文献２】  実用新案登録第３１０６４７４号公報
【発明の概要】
【発明が解決しようとする課題】
【０００６】  特許文献１は、樹脂製の表紙部ａと樹脂製の内側ファイルｂの上部、又は上部、側面部を溶着にて固定する。内側ファイルｂと透明樹脂製の帯ｄを溶着にて固定するものである。これにより、表紙部ａと内側ファイルｂを譜面台等の書見台ｅに挟み固定出来るようにしたものである。又、譜面収納透明ポケットｃを透明樹脂製の帯ｄに挟み込む事によって、ページの捲れを防止し、譜面台等の書見台に安定して固定することが出来る。このように、譜面表面を譜面収納透明ポケットｃで覆うため、ページの捲れを防止するものの筆記適性はない。【０００７】  また、特許文献２は、上述したように、２ページの譜面の側辺を接着して、４ページの譜面として一覧できるようにしたものであって、ページの捲れを防止したものではない。【０００８】  本発明は、３ページもの以上の譜面であっても、移動時には、各譜面をしっかり収納し、さらに譜面使用時には、少なくとも３ページが見開きでき、書き込みができる構成とし、さらに捲れ防止を施した譜面用ファイルを提供することを目的としている。
【課題を解決するための手段】
【０００９】  上記目的を達成するため本発明の請求項１における譜面用ファイルは、少なくとも第一表紙と第二表紙が中央の連接部を介して連続する表紙部と、１枚又は複数枚の譜面保持台紙が、表紙部の連接部で綴じられた譜面保持台紙綴部によって一体に構成された譜面用ファイルであって、
譜面保持台紙の両側部に譜面の端部を差し込んで保持する、開口部が譜面用ファイルの内側に向かって開かれた袋状ポケット部を設けた構成としている。【００１０】  また請求項２は、表紙部の第一表紙と第二表紙の下部に、譜面ファイルを開いた際、譜面保持台紙の捲れ防止用の舌片を上部に向けて設けてなるものである。【００１１】  請求項３は、譜面用ファイルにおいて、表紙部を形成する第一表紙又は第二表紙の少なくとも一方側端部に第三表紙を設けるとともに、この第三表紙の内側端部側に譜面端部の捲れ防止用の舌片を連接部に向けて設けてなるものである。【００１２】  そして、請求項４は、譜面用ファイルにおいて、表紙部を形成する第一表紙又は第二表紙の少なくとも一方側端部に第三表紙を設けるとともに、この第三表紙の内側下部に、譜面ファイルを開いた際、譜面の捲れ防止用の舌片を上部に向けて設けてなるものである。【００１３】  請求項５は、第三表紙の内側端部側に書き込みペン保持部を設けて、書き込みに適した譜面用ファイルとしている。
【発明の効果】
【００１４】  本発明によると、２ページ以上の譜面を収納するときは、譜面保持台紙の両側部に設けられた袋状ポケットに差し込んで保持するとともに、譜面を見開くときには、譜面その袋状ポケットから引き出し簡単に一覧見開きできるとともに、容易に書き込みができるようになっている。
【図面の簡単な説明】
【００１５】
【図１】本発明の一実施例を示す譜面用ファイルを開いた状態を示す説明図。
【図２】図１における譜面用ファイルの譜面保持台紙を取付ける前の説明図。
【図３】図１における譜面用ファイルの譜面保持台紙の説明図。
【図４】図３における譜面保持台紙Ｘ−Ｘ線断面説明図。
【図５】本発明の譜面用ファイルに収容する譜面における説明図。
【図６】本発明の譜面用ファイルに収容する譜面における説明図。
【図７】本発明の一実施例を示す譜面用ファイルの使用状態を示す説明図。
【図８】本発明の一実施例を示す譜面用ファイルの使用状態を示す説明図。
【図９】本発明の他の実施例を示す譜面用ファイルの説明図。
【図１０】図９における譜面用ファイルの使用状態を示す説明図。
【図１１】本発明における譜面保持台紙の他の実施例を示す説明図。
【発明を実施するための形態】
【００１６】  以下に本発明の実施例を図に基づいて説明する。
本発明における譜面用ファイル１は、図１、図２、図３、図４に基づいて説明すると、第一表紙２と第二表紙３が中央の連接部Ｒを介して連続する表紙部Ｈと、１枚又は複数枚の透明シートからなる譜面保持台紙５が、表紙部Ｈの連接部Ｒで熱溶着によって綴じられる譜面保持台紙綴部６によって一体に構成されている。
【００１７】  譜面保持台紙５の両側部に譜面Ｆの端部を差し込んで保持する、開口部が譜面用ファイル１の内側に向かって開かれた袋状ポケット部７を設けた構成としている。図４に示す断面説明図で確認できるように、譜面保持台紙５の側部をシートで覆い図中上下を熱融着して、袋状ポケット部７を形成している。
【００１８】  また、表紙部Ｈには、使用者の名前カードや名刺などが上部から入れられる、カードポケット３２や、薄物の資料や書類などが差し込めるシートポケット３３が設けられている。カードポケット３２の取り付け方法は、開口部を上に向けたコの字に周囲を熱融着して、横にカードポケット３２を併設している。シートポケット３３の取り付け方法は、カードポケット３２を構成するシートの２辺を第一表紙２の側部と底部Ｌ字状に熱融着して取り付けている。
【００１９】  さらに、表紙部Ｈの第一表紙２と第二表紙３の下部に、譜面ファイル１を開いた際、譜面保持台紙５及び譜面Ｆの捲れ防止用の舌片８、９を上部に向けて設けてなるものである。取り付け方法としては、舌片８、９シート底部をそれぞれ第一表紙２、第二表紙３底部に沿って熱有着によって固着して上部に向けた舌片８、９を形成している。
【００２０】  ところで譜面Ｆは、２連のシートや、図５に示されるように３連シートも存在する。次に、これら譜面Ｆを保持する方法や、一覧して使用する方法を説明する。２連シートの譜面Ｆであれば、図１に示した譜面ファイル１に、譜面保持台紙５の両側部に設けられた袋状ポケット部７、７に２連シートの譜面Ｆを挿入して保持したり、見開いて使用すればよい。
【００２１】  また、図５に示された３連シートの譜面Ｆであれば、図６に示すように、右側のシートの譜面を内向きに折返し、この状態で、図７に示す状態で、譜面用ファイル１を折りたたみ、譜面Ｆを収納する。３連シートの譜面Ｆを見開いて使用する場合は、図８に示すように右側の袋状ポケット部７から、譜面Ｆを出して３連を見開くことができる。
【００２２】  また、図８に示したように、舌片８、９の内側に譜面保持台紙とともに譜面Ｆを差し込めば、譜面Ｆの捲れを防止できる。２連シートの譜面Ｆを見開いて使用する場合も同様に舌片８、９で捲れを防止できる。
【００２３】  他の実施例として、図９に示すように、表紙部Ｈを形成する第二表紙３の右側側端部に第三表紙４を設けるとともに、この第三表紙４の内側端部側に譜面端部の捲れ防止用の舌片１０を連接部Ｒに向けて設けた譜面用ファイル２１を提案している。
【００２４】  こうすることで図１０に示すように、３連シートの譜面Ｆを見開いて使用する場合は、３連目の譜面を舌片１０の内側に差し込めば、さらに安定して３連シートの譜面Ｆを保持できる。第三表紙４は、第一表紙２の左側に設けても、よいものである。
【００２５】  第三表紙４に設けた舌片１０は、必ずしも図９に示したものでなくてもよく、舌片８、９のように第三表紙の内側下部に、譜面ファイル２１を開いた際、譜面の捲れ防止用の舌片（図示せず）を上部に向けて設けても良いものである。
【００２６】  第三表紙４の右下には、書き込みペン保持部３１がＵの字状に、シートの周囲を熱融着して設けられている。特に、譜面を見開いて譜面台に本発明の譜面用ファイル１を立てて使用しており、ペンは、このペン保持部３１に垂直に立てて収納できるので、不用意に譜面台から落ちることなく収納できる。図９、図１０で示した譜面用ファイル２１の収納方法は、第二表紙３を中心に、第一表紙２、第三表紙４を互いに内側に折りたためば、簡単に収納できる。
【００２７】  上記実施例において、譜面保持台紙綴部６は、表紙部Ｈに熱融着により固着した実施例を示したが、図１１に示すように、袋状ポケット部１７を有する譜面保持台紙１５を単片にして、袋状ポケット部１７の反対側にとじ穴２８を設けてルーズリーフ式にしたり、従来公知の綴じ方で、一定にできる供給方法としても良い。
【００２８】  また、袋状ポケット部における、ポケットの深さは、５ｃｍ前後が好ましく、この程度であると、譜面の余白程度を保持し、譜面の表示部が適度に表出し、書き込みのも支障なくできる。
【符号の説明】
【００２９】１、２１…譜面用ファイル
２…第一表紙
３…第二表紙
４…第三表紙
５、１５…譜面保持台紙
６…譜面保持台紙綴部
７、１７…袋状ポケット部
８…捲れ防止舌片
９…捲れ防止舌片
１０…捲れ防止舌片
３１…書き込みペン保持部
３２…カードポケット
３３…シートポケット３３
Ｒ…連接部
Ｈ…表紙部
Ｆ…譜面
【図１】
2015147401.tif 000003
【図２】
2015147401.tif 000004
【図３】
2015147401.tif 000005
【図４】
2015147401.tif 000006
【図５】
2015147401.tif 000007
【図６】
2015147401.tif 000008
【図７】
2015147401.tif 000009
【図８】
2015147401.tif 000010
【図９】
2015147401.tif 000011
【図１０】
2015147401.tif 000012
【図１１】
2015147401.tif 000013